(57)【要約】【課題】角ワッシャがカバーの組立時に干渉することがなく、端子ネジの締め上げによっても回転することがなく、しかも該角ワッシャを把持機により把持しやすいネジアップ式端子台を提供する。【解決手段】ネジアップ式端子台１０は、絶縁フレーム１６と、Ｘ１方向にヘッド２２ａを備えてＸ２方向に雄ネジ部２２ｃを備える端子ネジ２２と、雄ネジ部２２ｃが螺合する雌ネジ部２８ａと、端子ネジ２２の首部２２ｂに外嵌された角ワッシャ２０ａと、ワッシャ体２０における角ワッシャ２０ａの第１辺２０ａａから突出するガイド突起３２と、絶縁フレーム１６に設けられてＸ方向に沿って延在するガイド溝４０とを有する。ガイド突起３２は、前方に延在しながら第１辺２０ａａよりも側方に突出し、ガイド溝４０に嵌って案内される。【選択図】図４
2020009527.tif 000002
【特許請求の範囲】
【請求項１】
絶縁フレームと、
軸方向に沿う第１方向にヘッドを備えて逆の第２方向に雄ネジ部を備える端子ネジと、
前記雄ネジ部が螺合する雌ネジ部と、
前記端子ネジの首部に外嵌された角ワッシャと、
前記角ワッシャの一辺から突出するガイド突起と、
前記絶縁フレームに設けられて前記軸方向に沿って延在するガイド溝と、
を有し、
前記ガイド突起は、前記第１方向に延在しながら前記一辺よりも側方に突出し、前記ガイド溝に嵌って案内されることを特徴とするネジアップ式端子台。
【請求項２】
請求項１に記載のネジアップ式端子台において、
前記角ワッシャから前記第１方向への前記ガイド突起の突出量は、前記ヘッドの高さ以下であることを特徴とするネジアップ式端子台。
【請求項３】
請求項１または２に記載のネジアップ式端子台において、
前記一辺は第１辺であり、前記第１辺に隣接する第２辺から突出する受け突起と、
前記絶縁フレームに設けられて前記軸方向に沿って延在するスプリング溝と、
前記スプリング溝に配置される復帰スプリングと、
を有し、
前記受け突起は前記第１方向に延在し、先端に前記第２辺に沿う屈曲部を備え、
前記復帰スプリングは、前記端子ネジが前記雌ネジ部に螺合するときに前記屈曲部によって圧縮され、前記端子ネジが前記雌ネジ部から抜けたときに弾性力によって前記屈曲部を介して前記角ワッシャを前記第１方向に持ち上げることを特徴とするネジアップ式端子台。
【請求項４】
請求項３に記載のネジアップ式端子台において、
前記角ワッシャから前記第１方向への前記受け突起の突出量は、前記ヘッドの高さ以下であることを特徴とするネジアップ式端子台。
【請求項５】
請求項３または４に記載のネジアップ式端子台において、
前記絶縁フレームは、前記軸方向に沿って設けられて前記第１辺および前記第２辺に当接するガイド壁を有することを特徴とするネジアップ式端子台。
【請求項６】
請求項１〜５のいずれか１項に記載のネジアップ式端子台において、
前記絶縁フレームは、前記角ワッシャの第３辺および第４辺の方向から電線を挿入する２つの電線挿入部を有することを特徴とするネジアップ式端子台。
【請求項７】
請求項３に記載のネジアップ式端子台が一対設けられたネジアップ式接点ユニットにおいて、
双方の前記ネジアップ式端子台における前記第２辺が対向する向きになるよう並列配置されていることを特徴とするネジアップ式接点ユニット。
【発明の詳細な説明】
【技術分野】
【０００１】
本発明は、ネジアップ式端子台およびネジアップ式接点ユニットに関する。
【背景技術】
【０００２】
ネジアップ式端子台は、固定接点の雌ネジ部から端子ネジを離脱させた状態で復帰スプリングにより角ワッシャを浮かせることにより、電線端子の挿入とネジ締結作業とを容易に行うことができる。角ワッシャは正方形として１以上の辺を絶縁フレームの壁に当接させることによって回り止めとしている。
【０００３】
ネジアップ式端子台では、角ワッシャを浮かせるための復帰スプリングを適切に配置する必要がある。特許文献１では角ワッシャに突起を設け、該突起の先端が復帰スプリングを圧縮させるようにしている。この突起は角ワッシャからネジのヘッド方向に突出し、さらにＬ字に屈曲した先端が復帰スプリングの端部に当接するようになっている。
【０００４】
ネジアップ式端子台では、配線の自由度が高められるように縦横２方向からそれぞれ電線を接続可能なものがある。縦横２方向から電線を接続可能なネジアップ式端子台では、角ワッシャを固定接点から電線の端子２枚分以上浮き上がる必要があり、それだけ角ワッシャの動作ストロークも長くなる。
【０００５】
ネジアップ式端子台は複数台をまとめてネジアップ式接点ユニットとして構成されることがある。ネジアップ式端子台およびネジアップ式接点ユニットではなるべくコンパクトな構成が望ましい。
【先行技術文献】
【特許文献】
【０００６】
【特許文献１】特開２０１１−３４７３５号公報
【発明の概要】
【発明が解決しようとする課題】
【０００７】
ネジアップ式接点ユニットでは、例えば図６に示すような復帰スプリングの配設方法が考えられる。
【０００８】
図６（ａ）に示すように、ネジアップ式接点ユニット５００は２つのネジアップ式端子台５０２が並列配置されて構成されている。ネジアップ式端子台５０２では、端子ネジ５０４およびスプリングワッシャ５０６は角ワッシャ５０８と組み合わされている。角ワッシャ５０８からは下向きに突起５１０が突出している。突起５１０は側方に突出する小突起５１０ａを有し、該小突起５１０ａの下面が復帰スプリング５１２を圧縮する。この場合、突起５１０の板厚とは別に小突起５１０ａの長さを確保しなければならず、横幅が長くなる。したがって、２つのネジアップ式端子台５０２間のピッチ寸法Ｃが固定されている場合、ギャップＧ１が狭まってしまい絶縁壁を設けることができない。突起５１０の側面を固定接点５１４に当接させると安定するがＮ．Ｃ接点とし使用する場合に絶縁ができなくなる。また、復帰スプリング５１２は端子ネジ５０４のヘッドよりもかなり下方に配置されることになり、その分だけネジアップ式端子台５０２の軸方向寸法が長くなる。
【０００９】
図６（ｂ）に示すように、ネジアップ式接点ユニット５２０は２つのネジアップ式端子台５２２が並列配置されて構成されている。角ワッシャ５０８からは下向きに突起５２４が突出している。突起５２４は復帰スプリング５２６の中心に嵌まり込んでいる。復帰スプリング５２６は突起５２４の上端屈曲部によって圧縮される。この場合、復帰スプリング５２６に突起５２４が挿入されることから復帰スプリング５２６の径が大きくなる。したがって、２つのネジアップ式端子台５２２間のピッチ寸法Ｃが固定されている場合、ギャップＧ２が狭まってしまい絶縁壁を設けることができない。また、復帰スプリング５２６は端子ネジ５０４のヘッドよりも下方に配置されることになり、その分だけネジアップ式端子台５２２の軸方向寸法が長くなる。
【００１０】
ネジアップ式端子台５０２，５２２が縦横２方向から電線を接続可能な構成である場合、角ワッシャ５０８のストロークを長くする必要があり、それだけ突起５１０，５２４も長くなる。突起５１０，５２４は角ワッシャ５０８から下方に延在していることから固定接点５１４とラップする部分が生じ、絶縁性がよくない。
【００１１】
特許文献１に記載の端子台では、復帰スプリングを受ける突起がワッシャよりもかなり上方まで突出しており、その分寸法が長くなってしまう。
【００１２】
図７に示すように、ネジアップ式端子台５３０はカバー５３２で覆われることがある。ネジアップ式端子台５３０とカバー５３２との組み立て時に、角ワッシャ５０８が傾いているとカバー５３２が干渉して嵌められず、傾きを直さなければならず自動機による組立が困難となる。さらに、組立後においても端子ネジ５０４を締め上げると、角ワッシャ５０８もそのトルクによって回転してしまう。角ワッシャ５０８が回転すると、固定接点との間に挟まれた電線端子に無用な力が加わるとともに電線が傾いてしまう。
【００１３】
また、縦横２方向（例えば上方と左方向）から電線を接続可能なネジアップ式端子台では、角ワッシャが２面（例えば下方と右方向）しか支持されず不安定である。さらに、ネジアップ式端子台では角ワッシャを把持機により把持することが困難であり、組立工程における課題となっている。
【００１４】
本発明は、上記の課題に鑑みてなされたものであって、角ワッシャがカバーの組立時に干渉することがなく、端子ネジの締め上げによっても回転することがなく、しかも該角ワッシャを把持機により把持しやすいネジアップ式端子台およびネジアップ式接点ユニットを提供することを目的とする。
【課題を解決するための手段】
【００１５】
上述した課題を解決し、目的を達成するために、本発明にかかるネジアップ式端子台は、絶縁フレームと、軸方向に沿う第１方向にヘッドを備えて逆の第２方向に雄ネジ部を備える端子ネジと、前記雄ネジ部が螺合する雌ネジ部と、前記端子ネジの首部に外嵌された角ワッシャと、前記角ワッシャの一辺から突出するガイド突起と、前記絶縁フレームに設けられて前記軸方向に沿って延在するガイド溝と、を有し、前記ガイド突起は、前記第１方向に延在しながら前記一辺よりも側方に突出し、前記ガイド溝に嵌って案内されることを特徴とする。
【００１６】
前記角ワッシャから前記第１方向への前記ガイド突起の突出量は、前記ヘッドの高さ以下であってもよい。
【００１７】
前記一辺は第１辺であり、前記第１辺に隣接する第２辺から突出する受け突起と、前記絶縁フレームに設けられて前記軸方向に沿って延在するスプリング溝と、前記スプリング溝に配置される復帰スプリングと、を有し、前記受け突起は前記第１方向に延在し、先端に前記第２辺に沿う屈曲部を備え、前記復帰スプリングは、前記端子ネジが前記雌ネジ部に螺合するときに前記屈曲部によって圧縮され、前記端子ネジが前記雌ネジ部から抜けたときに弾性力によって前記屈曲部を介して前記角ワッシャを前記第１方向に持ち上げてもよい。
【００１８】
前記角ワッシャから前記第１方向への前記受け突起の突出量は、前記ヘッドの高さ以下であってもよい。
【００１９】
前記絶縁フレームは、前記軸方向に沿って設けられて前記第１辺および前記第２辺に当接するガイド壁を有してもよい。
【００２０】
前記絶縁フレームは、前記角ワッシャの第３辺および第４辺の方向から電線を挿入する２つの電線挿入部を有してもよい。
【００２１】
また、本発明にかかるネジアップ式接点ユニットは、前記ネジアップ式端子台が一対設けられたネジアップ式接点ユニットにおいて、双方の前記ネジアップ式端子台における前記第２辺が対向する向きになるよう並列配置されていることを特徴とする。
【発明の効果】
【００２２】
本発明にかかるネジアップ式端子台およびネジアップ式接点ユニットでは、角ワッシャの一辺からガイド突起が突出している。ガイド突起はヘッドの方向に延在しながら前記一辺よりも側方に突出しており、絶縁フレームに設けられたガイド溝に嵌って案内される。これにより、角ワッシャの傾きが抑制され、該角ワッシャがカバーの組立時に干渉することがなく、しかも端子ネジの締め上げによっても回転することがない。また、ガイド突起はヘッドの方向に突出していることから把持機により把持しやすい。
【図面の簡単な説明】
【００２３】
【図１】図１は、実施の形態にかかるネジアップ式端子台およびネジアップ式接点ユニットの斜視図である。
【図２】図２は、実施の形態にかかるネジアップ式端子台およびネジアップ式接点ユニットの分解斜視図である。
【図３】図３は、可動部を示す図であり、（ａ）はその平面図であり、（ｂ）は端子ネジおよびスプリングワッシャを省略した状態の斜視図である。
【図４】図４は、ネジアップ式接点ユニットの一部断面斜視図である。
【図５】図５は、実施の形態にかかるネジアップ式接点ユニットにおける一対の可動部およびその周辺を示す図である。
【図６】図６は、比較例としてのネジアップ式接点ユニットにおける一対の可動部およびその周辺を示す図であり、（ａ）はその第１例であり、（ｂ）はその第２例である。
【図７】図７は、カバーが装着された状態のネジアップ式接点ユニットの底面図である。
【発明を実施するための形態】
【００２４】
以下に、本発明にかかるネジアップ式端子台およびネジアップ式接点ユニットの実施形態であるネジアップ式端子台１０およびネジアップ式接点ユニット１２を図面に基づいて詳細に説明する。なお、この実施形態によりこの発明が限定されるものではない。
【００２５】
図１に示すように、ネジアップ式接点ユニット１２はネジアップ式端子台１０が２台並列配置して構成されている。２台のネジアップ式端子台１０はそれぞれ縦横２方向から電線１４を挿入して固定可能となっている。電線１４としては、例えば丸端子型が適用可能である。仮想線で示すようにネジアップ式接点ユニット１２は複数台を前後方向（Ｘ’方向）に直列接続することができる。２台のネジアップ式端子台１０は左右対称構造であって、絶縁フレーム１６およびカバー１８は共通となっている。カバー１８は絶縁フレーム１６の底面側を覆い、フィンガープロテクション構造である。
【００２６】
図２に示すように、ネジアップ式端子台１０は、絶縁フレーム１６をベースとして、ワッシャ体２０、端子ネジ２２、スプリングワッシャ２４、復帰スプリング２６および固定接点２８が組み合わされて構成されている。ワッシャ体２０、端子ネジ２２、スプリングワッシャ２４、および復帰スプリング２６をまとめて可動部３０と呼ぶ。
【００２７】
以下、２台のネジアップ式端子台１０のうち、主に図１および図２における左側のものを例にして説明する。また、端子ネジ２２の軸に沿う方向をＸ方向とし、螺入による端子ネジ２２の進行方向をＸ２方向（第２方向）、その逆をＸ１方向（第１方向）とする。さらに、２台のネジアップ式端子台１０が並列する方向をＹ方向とする。ネジアップ式接点ユニット１２は複数台が直列接続される方向（図１参照）をＸ’方向とする。Ｘ方向とＸ’方向との角度差は、例えば２０°となっており、これにより、ネジアップ式接点ユニット１２を複数台接続しても端子ネジ２２に対するドライバ操作が可能となる。絶縁フレーム１６およびカバー１８の底面はＸ’−Ｙ平面を形成している。
【００２８】
固定接点２８は絶縁フレーム１６に固定されており、中心に雌ネジ部２８ａが形成されている。固定接点２８は表面がひだ形状となっており、電線１４の端子が滑りにくい。固定接点２８は金属であり、一部が絶縁フレーム１６の奥に延在して内部接点２８ｂ（図４参照）を形成している。
【００２９】
図３に示すように、ワッシャ体２０は正方形の角ワッシャ２０ａがベースとなっていて、該角ワッシャ２０ａと固定接点２８との間で電線１４の端子を挟み込む部品である。角ワッシャ２０ａは中心のネジ孔２０ｂおよびＸ２方向への複数の小さい膨出部２０ｃを備えている。端子ネジ２２はヘッド２２ａ、首部２２ｂおよび雄ネジ部２２ｃからなる。首部２２ｂは、角ワッシャ２０ａのネジ孔２０ｂに挿入されている。つまり、首部２２ｂには角ワッシャ２０ａが外嵌されている。雄ネジ部２２ｃは固定接点２８の雌ネジ部２８ａに螺入可能である。
【００３０】
端子ネジ２２は角ワッシャ２０ａから脱落しないように構成されている。角ワッシャ２０ａとヘッド２２ａとの間にはスプリングワッシャ２４が設けられている。膨出部２０ｃは固定接点２８との間で電線１４の端子を強く挟持する。
【００３１】
ワッシャ体２０はさらに、角ワッシャ２０ａから突出するガイド突起３２および受け突起３４を有する。ガイド突起３２は角ワッシャ２０ａの第１辺２０ａａの端部からＸ１方向に延在しながら側方（図３（ｂ）では下側）に突出している。すなわち、ガイド突起３２は、Ｘ１方向よりもやや開き気味のＸ’方向に突出している。このＸ’方向は、カバー１８を絶縁フレーム１６に対して着脱する方向（図２参照）に等しい。ガイド突起３２は、Ｘ’方向に延在していることから、先端に向かって第１辺２０ａａよりもやや下方に突出しており、この部分が後述するガイド溝４０（図４参照）に嵌合する。ガイド突起３２は、例えば一度下方に短く延出してから９０°屈曲してＸ１方向に延在していてもよい。第１辺２０ａａはＹ方向に沿う辺とする。
【００３２】
図３（ａ）に示すように、Ｘ方向に対して垂直な方向から見て、角ワッシャ２０ａからＸ２方向へのガイド突起３２の突出量は、ヘッド２２ａの高さよりやや小さくなっている。より詳細には、ヘッド２２ａによってスプリングワッシャ２４が押圧されて平坦となったときに、ガイド突起３２の突出量とヘッド２２ａの高さとはほぼ等しくなる。受け突起３４の突出量もガイド突起３２と同じである。
【００３３】
受け突起３４は、第１辺２０ａａにおけるガイド突起３２に近い側に隣接する第２辺２０ａｂから突出している。受け突起３４の一辺は第２辺２０ａｂと段差なくつながっている。受け突起３４は第２辺２０ａｂの中央からＹ方向にやや突出し、Ｌ字に屈曲してＸ１方向に延在し、さらに先端が第２辺２０ａｂに沿う方向で上に向かい小さく屈曲して屈曲部３４ａを形成している。屈曲部３４ａには復帰スプリング２６の一端が当接するようになっている。角ワッシャ２０ａにおける第３辺２０ａｃおよび第４辺２０ａｄには突起物がない。
【００３４】
復帰スプリング２６は、端子ネジ２２が雌ネジ部２８ａに螺合するときに屈曲部３４ａによって圧縮され、端子ネジ２２が雌ネジ部２８ａから抜けたときに弾性力によって屈曲部３４ａを介して角ワッシャ２０ａをＸ１方向に持ち上げる。
【００３５】
図２に戻り、ネジアップ式端子台１０は下ガイド壁３６と、内側ガイド壁３８と、ガイド溝４０と、スプリング溝４２と、上ガイド壁４４とを有しており、これらは絶縁フレーム１６に形成されている。下ガイド壁３６、内側ガイド壁３８、および上ガイド壁４４で囲われた空間４６のＸ２方向端には固定接点２８が設けられている。この空間４６で内側ガイド壁３８の逆側（図２の左側）は開口している。上ガイド壁４４は固定接点２８の上部は覆ってなく、隙間（電線挿入部）が形成されており、この隙間から電線１４（図１参照）が挿入可能となっている。空間４６には可動部３０が配置される。
【００３６】
下ガイド壁３６は、Ｘ方向に沿って設けられており、角ワッシャ２０ａの第１辺２０ａａに当接して支持する。下ガイド壁３６の上方には該下ガイド壁３６と平行な上ガイド壁４４が設けられている。内側ガイド壁３８は絶縁フレーム１６の中央近傍に設けられており、角ワッシャ２０ａの第２辺２０ａｂに当接して支持する。内側ガイド壁３８は上壁３８ａと下壁３８ｂとからなる。上壁３８ａは第２辺２０ａｂにおける受け突起３４よりも上側を支持し、下壁３８ｂは第２辺２０ａｂにおける受け突起３４よりも下側を支持する。上壁３８ａはほぼＸ方向に沿って形成され、下壁３８ｂはほぼＸ’方向に沿って形成されている。
【００３７】
図４に示すように、ガイド溝４０は図４の下に向かって窪んだ溝であり、下ガイド壁３６と下壁３８ｂとの間でＸ方向に沿って設けられ、Ｘ１方向が開口している。ガイド溝４０の底面４０ａはＸ’方向に沿った面となっており、Ｘ１方向の開口部は適度に広くなっている。ガイド溝４０にはガイド突起３２がほぼ隙間なく嵌まり込み、ワッシャ体２０はガイド溝４０によってＸ方向に案内される。
【００３８】
スプリング溝４２は復帰スプリング２６が配置される半円溝であり、Ｘ方向に沿って設けられ、Ｘ１方向が開口している。スプリング溝４２はＸ１方向側の半分以上は下に開口したＵ字溝であり、Ｘ２方向の端部は復帰スプリング２６の全周を覆う有底穴４２ａとなっている。復帰スプリング２６はＸ２方向端が有底穴４２ａの底面４２ｂで支持され、Ｘ１方向端が屈曲部３４ａで支持される。復帰スプリング２６のＸ２方向端は有底穴４２ａで安定して保持され、Ｘ１方向端はスプリング溝４２と受け突起３４によって安定して保持される。スプリング溝４２は、端子ネジ２２の軸心高さよりも上側に設けられており、下側に設けられたガイド溝４０からはやや離れた位置となってレイアウト上の自由度がある。
【００３９】
図２に戻り、カバー１８は底面板４８と、一対の側面板５０と、一対のドライバ孔５２とを有する。底面板４８は絶縁フレーム１６の底面を覆う板であり、ドライバ孔５２が形成されている。ドライバ孔５２からは端子ネジ２２のヘッド２２ａが露呈される。ドライバ孔５２からはドライバが挿入可能であって、端子ネジ２２のドライバ操作が可能になっている。ドライバ孔５２は角ワッシャ２０ａよりは小さく形成されており、可動部３０が外部に抜け出ることはない。ドライバ孔５２は２つの可動部３０に合わせて一対設けられている。側面板５０は絶縁フレーム１６のＹ方向両面を覆う板であり、絶縁フレーム１６の側面、固定接点２８の側方辺および角ワッシャ２０ａの側方辺に対してほとんど隙間なく配置される。側面板５０には、側方から電線１４を挿入するための孔（電線挿入部）５０ａが設けられている。カバー１８は絶縁フレーム１６に対してＸ’方向に沿って近づけて押し込むことによりスナップフィット式に固定される。
【００４０】
図５に示すように、ネジアップ式接点ユニット１２では、ネジアップ式端子台１０が
左右対称に一対設けられており、双方のネジアップ式端子台１０における第２辺２０ａｂが対向する向きになるよう並列配置されている。したがって、受け突起３４も対向するように内向きとなり、外向きの第３辺２０ａｃからは電線１４が挿入可能となる。
【００４１】
ネジアップ式端子台１０の受け突起３４では図６（ａ）に示した例のように内向きに突出する小突起５１０ａがないことから、その分だけＹ方向寸法を短くすることができる。また、ネジアップ式端子台１０では復帰スプリング２６端部が屈曲部３４ａによって支持されており、図６（ｂ）に示した例のように復帰スプリング５２６の中に入り込んでいない。したがって、その分だけ復帰スプリング２６を小径にすることができ、ネジアップ式端子台１０のＹ寸法も短くすることができる。
【００４２】
このようにネジアップ式端子台１０はＹ寸法が短くなることから、左右一対のネジアップ式端子台１０のピッチ寸法Ｃが固定された場合でも、そのギャップＧを比較的大きくすることができギャップＧの範囲に絶縁壁５４を設けることが可能になり、絶縁性が保たれる。
【００４３】
ネジアップ式端子台１０では、受け突起３４がＸ１方向に延在していることから、Ｘ２方向に設けられている固定接点２８からは離れており、絶縁性が一層高まる。復帰スプリング２６を絶縁材で構成し、または絶縁被覆を設けることで絶縁性がさらに高まる。
【００４４】
次に、このように構成されるネジアップ式端子台１０およびネジアップ式接点ユニット１２を組み立てる手順および使用手順について説明する。
【００４５】
まず、ネジアップ式端子台１０およびネジアップ式接点ユニット１２を組み立てる際には、絶縁フレーム１６に固定接点２８を固定しておき、さらにスプリング溝４２に復帰スプリング２６を入れておく。
【００４６】
さらに、図４の仮想線で示すように把持機５３によりガイド突起３２を把持しながら、該ガイド突起３２をガイド溝４０に挿入する。これによりワッシャ体２０および端子ネジ２２が正しい位置に配置される。ガイド突起３２は手前側に突出していることから把持機５３による把持が可能である。ガイド突起３２は適度に長いことからガイド溝４０に対して安定して挿入され、案内される。ガイド突起３２はＸ方向よりもやや開き気味のＸ’方向に延在していることから、第１辺２０ａａよりもやや側方に突出して、ヘッド２２ａとの間に多少の隙間が設けられており、ガイド突起３２の上面が把持機５３により把持しやすい。ガイド溝４０の開口は適度に広く、底面４０ａとガイド突起３２との間には隙間が設けられていることから、ガイド突起３２の下面が把持機５３により把持しやすい。
【００４７】
端子ネジ２２が雌ネジ２８ａに螺入されると、角ワッシャ２０ａは第１辺２０ａａおよび第２辺２０ａｂの２辺だけが下ガイド壁３６、内側ガイド壁３８によって支持されるが、さらにガイド突起３２がガイド溝４０に嵌まり込んでいることにより一層正確かつ確実に位置決めと回り止めがなされる。
【００４８】
また、受け突起３４はＸ１方向に突出していて屈曲部３４ａもＸ１方向に寄った配置となっていることから、復帰スプリング２６を適度に長い寸法にすることができ、可動部３０のストロークを長く確保することができる。ガイド突起３２および受け突起３４の突出量は、ヘッド２２ａの高さよりやや低いことから、底面板４８(図２参照)はヘッド２２ａの頂部に近い位置に配置されることになり、奥行き寸法が長くならない。ガイド突起３２および受け突起３４は角ワッシャ２０ａの傾きを抑制するため、ネジアップの際に復帰スプリング２６の荷重をＸ１方向に正確に伝えることができる。
【００４９】
復帰スプリング２６が屈曲部３４ａを支持していることから角ワッシャ２０ａはＸ１方向に浮き上がった状態となり、端子ネジ２２の雄ネジ部２２ｃと固定接点２８との間にはある程度の隙間が形成されており、電線１４の端子が配置され得る。
【００５０】
この後、カバー１８を絶縁フレーム１６に装着する。カバー１８の側面板５０はワッシャ体２０の角ワッシャ２０ａの側辺、つまり第３辺２０ａｃに対してほとんど隙間がないが、角ワッシャ２０ａは正しい位置に配置されていて側面板５０に干渉することがない。つまり、ガイド突起３２がガイド溝４０に挿入されていることにより角ワッシャ２０ａの角部が側方に突出することはなく、側面板５０に当たらない。これにより、角ワッシャ２０ａの角度を目視して人手によって調整するという手間がなく、組立工程が簡略化され、例えば自動機による組立が容易となる。
【００５１】
次に、ネジアップ式端子台１０およびネジアップ式接点ユニット１２に対して電線１４を装着する場合には、上方および／または側方から電線１４の端子を固定接点２８と角ワッシャ２０ａとの間に挿入する。
【００５２】
そして、ドライバ孔５２から図示しないドライバを挿入して先端をヘッド２２ａの頂面溝に合わせて押し込む。ワッシャ体２０は受け突起３４の屈曲部３４ａが復帰スプリング２６を圧縮しながらＸ２方向に押しこまれ、雄ネジ部２２ｃが雌ネジ部２８ａの開口部に当接する。このとき、ガイド突起３２はガイド溝４０によって案内されることから、ワッシャ体２０は正しい向きに維持されていて回転ズレが防止される。
【００５３】
ドライバを回転させることにより雄ネジ部２２ｃが雌ネジ部２８ａに螺入されてＸ２方向にさらに前進する。電線１４の端子は角ワッシャ２０ａと固定接点２８との間で挟持され強い圧力で固定される。このとき、角ワッシャ２０ａにはドライバからヘッド２２ａおよびスプリングワッシャ２４を介して大きなトルクが作用することになるが、ガイド突起３２がガイド溝４０に嵌まり込んでいることから角ワッシャ２０ａの回転ずれがなく、固定接点２８との間で挟持されている電線１４の向きが変わらない。
【００５４】
このように、本実施の形態に係るネジアップ式端子台１０では、ガイド突起３２の作用により、角ワッシャ２０ａの回転が防止されカバー１８の装着時に干渉することがなく、ネジ止め時にも連れ回りすることがない。ガイド突起３２は把持機５３で把持することができるので、自動組み立てに適する。受け突起３４はＸ１方向に延在しており固定接点２８からは離れていて絶縁性に優れる。
【００５５】
本発明は、上記した実施形態に限定されるものではなく、本発明の主旨を逸脱しない範囲で自由に変更できることは勿論である。
【符号の説明】
【００５６】
１０  ネジアップ式端子台
１２  ネジアップ式接点ユニット
１４  電線
１６  絶縁フレーム
１８  カバー
２０  ワッシャ体
２０ａ  角ワッシャ
２０ａａ  第１辺
２０ａｂ  第２辺
２０ａｃ  第３辺
２０ａｄ  第４辺
２２  端子ネジ
２２ａ  ヘッド
２２ｂ  首部
２２ｃ  雄ネジ部
２６  復帰スプリング
２８  固定接点
２８ａ  雌ネジ部
３２  ガイド突起
３４  受け突起
３４ａ  屈曲部
４０  ガイド溝
４２  スプリング溝
【図１】
2020009527.tif 000003
【図２】
2020009527.tif 000004
【図３】
2020009527.tif 000005
【図４】
2020009527.tif 000006
【図５】
2020009527.tif 000007
【図６】
2020009527.tif 000008
【図７】
2020009527.tif 000009